(57)【特許請求の範囲】
【請求項１】
液晶表示パネル用の照明光を一方の面から出射する出射用導光板と、この出射用導光板の他方の面にスペーサ部材を介して同一面上にそれぞれ装着された一方と他方の混色用導光板と、この一方と他方の混色用導光板の相互間に設置された放熱用空間領域と、この放熱用空間領域内に配置された複数個の発光素子と、前記一方と他方の混色用導光板内を伝搬してくる前記各発光素子からの出力光を前記各混色用導光板の外側端面から対応する前記出射用導光板の各端面に向けて案内する一方と他方のリフレクタとを備え、
前記複数個の各発光素子を一体的に保持する保持プレートを設けると共に、この保持プレートを、前記一方と他方との各混色用導光板に対向して且つ通気用の間隙を隔てて配置し、
前記放熱用空間領域を前記通気用の間隙に連通した状態に設定すると共に、当該放熱用空間領域を前記リフレクタに対して非平行の状態に配設したことを特徴とする液晶表示用バックライト。
【請求項２】
請求項１に記載の液晶表示用バックライトにおいて、
前記保持プレートを、前記出射用導光板に対応した大きさとしたことを特徴とする液晶表示用バックライト。
【請求項３】
請求項１に記載の液晶表示用バックライトにおいて、
前記放熱用空間領域を、前記出射用導光板に沿った面内で一部曲折した状態に形成し配設したことを特徴とする液晶表示用バックライト。
【請求項４】
請求項１に記載の液晶表示用バックライトにおいて、
前記放熱用空間領域を、前記リフレクタに対して所定角度α度傾斜した状態に設定したことを特徴とする液晶表示用バックライト。
【請求項５】
請求項１に記載の液晶表示用バックライトにおいて、
前記複数個の発光素子を前記一方と他方の混色用導光板に対応して少なくとも二つの列に分けて配置したことを特徴とする液晶表示用バックライト。
【請求項６】
請求項５に記載の液晶表示用バックライトにおいて、
前記各列の複数個の発光素子の出力光を対応する前記各混色用導光板の前記放熱用空間領域側の端面に向けて案内する光反射ガイドを、前記複数の発光素子の各列毎に装備したことを特徴とする液晶表示用バックライト。
【請求項７】
請求項６に記載の液晶表示用バックライトにおいて、
前記放熱用空間領域内に、前記保持プレート用の放熱助成手段を装備したことを特徴とする液晶表示用バックライト。
【請求項８】
請求項７に記載の液晶表示用バックライトにおいて、
前記放熱助成手段を放熱用のヒートシンクで構成すると共に、この放熱用のヒートシンクを、その底面部分を介して前記保持プレートに固着したことを特徴とする液晶表示用バックライト。
【請求項９】
請求項７に記載の液晶表示用バックライトにおいて、
前記放熱助成手段を冷却ファンで構成すると共に、この冷却ファンを、そのファン保持部を介して前記保持プレートに固着したことを特徴とする液晶表示用バックライト。
【請求項１０】
請求項１乃至９の何れか一つに記載の液晶表示用バックライトにおいて、
前記保持プレートの一方の面または他方の面の少なくとも何れかの面に、多数の凹凸を設けたことを特徴とする液晶表示用バックライト。
【請求項１１】
請求項６乃至９に記載の液晶表示用バックライトにおいて、
前記混色用導光板の内側端面である光反射ガイド側の端面と前記リフレクタ側の端面との間の距離をＤ、ＬＥＤの配列ピッチをＰ、ＬＥＤの配光角度（半値角）をθとした時に、前記距離Ｄが、次式、
Ｄ≧ｎ×Ｐ／tan(θ/2)  （ｎ：近接同一色のＬＥＤまでの個数）
を満足する状態に設定されていることを特徴とした液晶表示用バックライト。
【請求項１２】
液晶表示パネルと、前記液晶表示パネルの後方に配置され当該液晶表示パネルに表示用照射光を供給するバックライトとを備え、
前記バックライトが、前記請求項１乃至１１のいずれか一つに記載の液晶表示用バックライトであることを特徴とする液晶表示装置。
【発明の詳細な説明】
【技術分野】
【０００１】
本発明は、液晶表示用バックライト及び液晶表示装置に係り、更に詳しくは、小型で且つ放熱性良好な液晶表示用バックライト及び液晶表示装置に関する。
【背景技術】
【０００２】
従来、液晶表示装置のバックライト用光源としては、主に冷陰極管が使用されていたが、専用の点灯回路が必要なこと及び高電圧を扱う必要があることから、近時にあっては、特に携帯電話及びＰＤＡ等の小型機器等にあっては、光源としてＬＥＤ（発光素子）が使用されている。このＬＥＤは、主に青色ＬＥＤにＹＡＧ蛍光体を塗布する事で得られる擬似白色光であって、色再現性（特に赤系）に難がある。モニターやＴＶ用途としては、ＬＥＤの光量が少ないこと、冷陰極管に比して高価であること、先に述べた色再現性に難があること等から、利用される機会が少なかった。
【０００３】
しかし、近年になってこのＬＥＤの効率が飛躍的に改善されつつあると共に、大電流を通電可能なＬＥＤが開発され、環境問題、色再現性の拡大実現とも絡め、ＬＥＤを使用した比較的大型のバックライトの製品化を目指す動きが活発となってきている。
【０００４】
上記液晶表示用バックライトを用いた照明装置として、コンパクトな照明システムとディスプレイデバイスとが知られている（例えば特許文献１参照）。この特許文献１には、例えば図１２に示すような構成、即ち、空間領域を介して同一面上に配置された光混合パネル部分１５１，１５２の相互間にＬＥＤを複数個配置して使用する形態の照明システムが開示されている。
【０００５】
即ち、この図１２に示す照明システムは、発光パネル１０１と一対の混合パネル部分１５１，１５２とを備えており、光源としてのＬＥＤ１０６を二列に配置して構成されている。ＬＥＤ１０６は、第１，第２の光源セクション１６１，１６２で構成され、これらの第１，第２の光源セクション１６１，１６２から発せられた光は、それぞれ光コリメーティング１６１Ａ，１６２Ａを介して、光混合パネル部分１５１，１５２の第１，第２の各光入力縁領域１７１，１７２から各混合パネル部分１５１，１５２に入射する。
【０００６】
光混合パネル部分１５１，１５２に入射した光は、当該光混合パネル部分１５１，１５２内で全反射を繰り返しながら、反対側端面の光出力縁領域１８１，１８２から光転送室１９１，１９２に出射され、それぞれ光出力縁領域１８１，１８２から前記発光パネル１０１に送り込まれるようになっている。
ここで、図１２における各符号は、特許文献１の図３Ｂに付せられた符号に１００を加えた符号であり、その構成はまったく同じである。ただし、光コリメーティング１６１Ａ、１６２Ａについては、特許文献１における元の符号１６１，１６２に、Ａ，Ｂのみを付加した番号とした。
【０００７】
又、非特許文献１の図１及び図２には、ドーム型のレンズ有するＬＥＤをアレイ状に配列しリフレクタ（光反射ガイド）を介してＬＥＤからの出力光を第１の導光板に導き、更に他のリフレクタを介して第２の導光板（発光プレート）に送り込み、これによって面光源を構築して成る技術が開示されている。
【０００８】
【特許文献１】特表２００４−５２７０９６号公報。
【非特許文献１】ＳＩＤ２００３  ＤＩＧＥＳＴ  ｐ．１２５９−１２６１
【発明の開示】
【発明が解決しようとする課題】
【０００９】
上記特許文献１に開示された照明システムでは、二列の光源セクション１６１，１６２同志は、そこからの光を反射させる光コリメーティング１６１Ａ，１６２Ａが互いに接触した状態で隣り合わせて設けられている。
これは、２倍のＬＥＤを取り付けることで、増大した明るさを実現するために二列の光源セクション１６１，１６２を設けたものであるが、光源セクション１６１，１６２が近接しているため、互いの発する熱の影響等により、耐久性が著しく損なわれるばかりでなく明るさも単純には２倍となるものではない。この発熱の影響を軽減し除去するためには、放熱手段が必要である。
【００１０】
しかしながら、上記特許文献１には、かかる放熱手段についての具体的な開示はない。仮に、この特許文献１に開示された照明システムに放熱構造を組み込もうとすると、二列の光源セクション１６１，１６２の外側に、必要な放熱手段を設けなければならず、そうすると、装置全体が厚くなり、大型化し且つ重量増を来すこととなり、装置の薄型化および軽量化を図ることが困難となる。かかる不都合は、前述した非特許文献１でも全く同様に存在している。
【００１１】
〔発明の目的〕
本発明では、上記関連技術が備えている不都合を改善し、簡単な構成で放熱効果の向上を図ると共に、同時に薄型化および軽量化を可能とした液晶表示用バックライトおよび液晶表示装置を提供することを、その目的とする。
【課題を解決するための手段】
【００１２】
上記目的を達成するため、本発明にかかる液晶表示用バックライトは、液晶表示パネル用の照明光を一方の面から出射する出射用導光板と、この出射用導光板の他方の面にスペーサ部材を介して同一面上にそれぞれ装着された一方と他方の混色用導光板と、この一方と他方の混色用導光板の相互間に設けられた放熱用空間領域と、この放熱用空間領域内に配置された複数個の発光素子と、前記一方と他方の混色用導光板内を伝搬してくる前記各発光素子からの出力光を前記各混色用導光板の外側端面から対応する前記出射用導光板の各端面に向けて案内する一方と他方のリフレクタとを備えている。そして、前述した複数個の各発光素子を一体的に保持する保持プレートを設けると共に、この保持プレートを、前記一方と他方との各混色用導光板に対して通気用の間隙を隔てて配置し、前記放熱用空間領域を前記通気用の間隙に連通した状態に設定すると共に、当該放熱用空間領域を前記リフレクタに対して非平行の状態に配設したことを侍徴とする。
このようにすると通気用の間隙内の通気がそのまま放熱用空間領域内にも入り込むことから放熱用空間領域内に熱気が留まるという不都合がなくなり、放熱用空間領域が放熱空間として有効に機能するという利点がある。
また、放熱空間が徐々に広くなる様に設定されているので、空気の自然対流の上昇方向に障害物が無いだけでなく、複数個の発光素子から生じ、上昇してくる熱を広い空間で受けることになるため、より効率良く放散することができる。
【００１３】
ここで、前述した保持プレートについては、これを前記出射用導光板に対応した大きさとしてもよい。
【００１８】
さらに、前記光反射ガイドと前記発光素子と、これに対応する前記混色用導光板の側端面が、屈曲していてもよい。
このようにすると、放熱空間が屈曲していることで、発光素子の数を減らすことなく、屈曲点を境に各々の領域で熱を効率よく放散させることができる。
【００１９】
又、前述した放熱用空間領域を、前記リフレクタに対して所定角度α°傾斜した状態に設定してもよい。
【００２０】
このようにすると、前記出射用導光板の長さよりも放熱用空間領域の長さが長く設定されるので、当該放熱用空間領域内に配置する発光素子の数を更に大幅に増加させることができ、このため、出射用導光板からの出力光の明るさを更に高めることができるという利点がある。
【００２１】
又、前述した複数個の発光素子を前記一方と他方の混色用導光板に対応して少なくとも二つの列に分けて配置してもよい。
【００２２】
このようにすると、出射用導光板には、その両側の端面から混色用導光板およびリフレクタを介して別々に出力光を送り込むことができ、出射用導光板からの出カ光の明るさを効率よく更に高めることができる。
【００２３】
更に、前述した各列の複数個の発光素子の出力光を対応する前記各混色用導光板の前記放熱用空間領域側の端面に向けて案内する光反射ガイド（ガイド用リフレクタ）を、前記複薮の発光素子の各列毎に装備してもよい。
このようにすると、混色用導光板に向けてガイド用リフレクタにより各発光素子の出力光を案内できるので、各発光素子の有効出力光を高めることができる。
【００２４】
また、前述した放熱用空間領域内に、放熱手段としても機能する保持プレートに放熱助成手段を併設してもよい。
【００２５】
上記した放熱助成手段については、これを放熱用のヒートシンクで又は冷却ファンで構成してもよい。
【００２６】
更に、前述した保持プレートについては、その一方の面または他方の面の少なくとも何れかの面に、多数の凹凸を設けてもよい。
このようにすると、保持プレートの面を大面積とすることができ、大面積からの放熱が可能となるので、簡単な構成で放熱効果の向上を図ることができる。
【００２７】
また、前記混色用導光板の光反射ガイド（入光）側の端面と、前記リフレクタ側の端面との間の距離をＤ、ＬＥＤの配列ピッチをＰ、ＬＥＤの配光角度（半値角）をθとした時に、この距離Ｄを、次式
Ｄ≧ｎ×Ｐ／tan(θ/2) （ｎ：近接同一色のＬＥＤまでの個数）
を満足するように設定してもよい。
これにより、混色用導光板の大きさを最適に、必要最低限の寸法とすることで、放熱空間の極大化を図ることができる。
【００２８】
又、上記目的を達成するため、本発明にかかる液晶表示装置は、液晶表示パネルと当該液晶表示パネルの後方に配置され当該液晶表示パネルに光を供給するバックライトとを有し、このバックライトを、上述した各液晶表示用バックライトの内のいずれか一つの液晶表示用バックライトとしたことを特徴とする。
【発明の効果】
【００２９】
本発明は、上述したように、出射用導光板の背面側に重ね合わせるようにして同一面上に装備した一方と他方の混色用導光板の相互間に放熱用空間領域を設けると共に、この放熱用空間領域内に各発光素子を配置し、同時にこの各発光素子を保持する保持プレートを、前記一方と他方の各混色用導光板に対向し且つ通気用の間隙を介して配置したので、通気用の間隙内を流通する空気により、保持プレートが冷却され、当該保持ブレートを介して前記発光素子から発生する熟を大気中に放散することができ、このため、簡単な構成で放熱効果の向上を図ることができる。
【００３０】
同時に、本発明では、保持プレートを上述したように一方と他方との各混色用導光板に沿って配置し且つ両面から外部に対して熱放散されるようにしたので、熱放散の効率を高めることができ、外部に突出する部分が無いことから装置全体の大型化および大幅な重量増を抑制することができ、かかる点において、放熱手段を備えたにもかかわらず装置全体の小型化および軽量化を可能とすることができる、という従来にない優れた液晶表示用バックライトおよびこれを利用した液晶表示装置を提供することができる。
【発明を実施するための最良の形態】
【００３１】
〔第１の実施形態〕
以下、本発明にかかる液晶表示用バックライトの第１の実施形態を図１乃至図２に基づいて説明する。
ここで、図ｌは本第ｌ実施形態における液晶表示用バックライトを示す正面図、図２は図ｌのＩＩ−ＩＩ線に沿った縦断面図である。
【００３２】
この図ｌ乃至図２において、符号ｌは液晶表示装置を示し、符号５は種々の情報を外部に対して出力表示する液晶表示パネルを示し、符号１０は前記液晶表示パネルに一体的に装備された液晶表示用バックライトを示す。
この内、液晶表示用バックライト１０は、液晶表示パネル５用の照明光を一方の面（液晶表示パネル５に面する表面）から液晶表示パネル５に向けて出射する出射用導光板１１と、この出射用導光板１１の他方の面（背面）にスペーサ部材である光隔離板１２を介して重ね合わせるようにして装着された混色用導光板１３とを備えている。この混色用導光板１３は、図２に示すように、同一面上にそれぞれ所定間隔（後述する放熱用空間領域部分）を隔てて装着された一方と他方の各混色用導光板１５，１６により構成されている。この一方と他方の混色用導光板１５，１６は、本実施形態では同一の大きさのものが使用されている。
【００３３】
この一方と他方の混色用導光板１５，１６の相互間には、放熱用空間領域２２が設けられている。そして、この放熱用空間領域２２内に、液晶表示用バックライトの発光源である複数個の発光素子（ＬＥＤ）１７，１８が配設されている。又、前記一方と他方の各混色用導光板ｌ５，１６の各外側端面には、この一方と他方の各混色用導光板１５，１６内を伝搬してくる前記各ＬＥＤ１７，１８からの出力光を当該各混色用導光板１５，１６の外側端面から対応する前述した出射用導光板１１の各外側端面に向けて案内する一方と他方のリフレク夕１９，２０が、それぞれ装備されている。
これにより、各混色用導光板１５，１６内を伝搬してきた各ＬＥＤｌ７，１８からの出力光は、円弧状小矢印に示すように、一方と他方のリフレクタ１９，２０内を反射伝搬して、出射用導光板１１の各外側端面から出射用導光板１１内へ伝搬されるようになっている。
【００３４】
符号２１は保持プレートを示す。この保持プレート２１は、前述した複数個の各ＬＥＤ１７，１８を一体的に保持するように組み込まれており、前述した混色用導光板１３（一方と他方の各混色用導光板１５，１６）に対向して且つ図２に示すように間隔Ｃの通気用の間隙２２Ａ，２２Ｂを隔てて設置されている。これにより、各ＬＥＤ１７，１８の稼働時に発生する熱は保持プレート２１に伝搬されるようになっている。この保持プレート２ｌは、放熱手段としての機能も兼ね備えている。
【００３５】
この保持プレート２１は、本実施形態では前述した出射用導光板１１に対応した大きさ（ほぼ同一の大きさ）のものが使用されている。更に、前述した放熱用空間領域２２は、上記通気用の間隙２２Ａ，２２Ｂに連通した状態に設定されている。即ち、この放熱用空間領域２２と通気用の間隙２２Ａ，２２Ｂとによって空冷機構が構成され、各ＬＥＤｌ７，１８での発熱は放熱手段として機能する保持プレート２１から、当該保持プレート２１に沿って間隙２２Ａ，２２Ｂ内を流動する通気に対して、円滑に熱交換され放熱されるようになっている。
【００３６】
前述した一方と他方の各リフレクタ１９，２０は、図ｌ乃至図２に示すように出射用導光板ｌｌの両端部（図１乃至図２では上下端部）に対応して且つ相互に平行状態を維持して配設されている。
ここで、本実施形態では、放熱用空間領域２２も前述した各リフレクタ１９，２０に対して平行となるように、前述した一方と他方の各混色用導光板１５，１６が形成されて前述した出射用導光板ｌｌに装着されている。
【００３７】
又、前述した出射用導光板ｌｌは本実施形態では図ｌに示すように矩形状に形成され、前述した一方と他方の各リフレクタ１９，２０は矩形状に形成された出射用導光板１１の長辺部分に対応する側端面部分に配置され、これに合わせて前記一方と他方の各混色用導光板１５，１６はその幅が前述した出射用導光板ｌｌのｌ／２以下の矩形状（長方形状）に形成されている。
このため、放熱用空間領域２２の長さが出射用導光板ｌｌの長辺の長さを同等の長さに設定されるので、各ＬＥＤ１７，１８の数を短辺に放熱用空間領域２２を設ける場合に比較して多く装備することができ、このため、出射用導光板ｌｌから液晶表示パネル５に向けて出力される出カ光の明るさを増大させることができるという利点がある。
【００３８】
出射用導光板１１に入射した光は、その側面を除く平面部（光隔離プレート１２側、光学シート２７側のいずれか一方、または両方）に形成された散乱・反射手段等（図示せず）により、表面に向けて反射散乱され、当該出射用導光板１１から前述した液晶表示パネルに向けて順次出射される。この過程で、出力光はほぼ一様の光の均一離性を得られるが、さらに均一性の向上、透過角度制御等を目的として、本実施形態では出射用導光板ｌｌの表面に光学シート２７が配置されている。
【００３９】
ここで、前述した放熱用空間領域２２は、前述した出射用導光板ｌｌ側からみると、当該出射用導光板ｌｌの背面側でその中央部に配設されている。そして、この出射用導光板ｌｌの背面側には、前記放熱用空間領域２２を中央部に配設して、一方の側に一方の混色用導光板１５が、他方の側に他方の各混色用導光板１６が、それぞれ同一面上に配置されている。
【００４０】
前述した複数個のＬＥＤ（発光素子）１７，１８は、本第ｌ実施例では、前記一方と他方の混色用導光板１５，１６に対応して少なくとも二つの列に分けて配置されている。そして、前記各列の複数個のＬＥＤの出力光を対応する前記各混色用導光板１５，１６の前述した放熱用空間領域２２側の端面に向けて案内する光反射ガイドとしてのガイド用リフレクタ２３，２４が、前記複数のＬＥＤの各列毎に装備されている。
そして、これらのガイド用リフレクタ（光反射ガイド）２３，２４としては、光損失の少ない材料（銀蒸着フィルム、樹脂の多層膜フィルム、或いはこれらを金属板に貼り合わせた物など）が素材として使用されている。
このように、各列のＬＥＤｌ７，１８部分にそれぞれガイド用リフレクタ２３，２４を装備することにより、このガイド用リフレクタによって各ＬＥＤ１７，１８の出力光を案内できるので、各ＬＥＤｌ７，１８から周囲に向けて出力される全体の出力光を効率よく利用できる。
【００４１】
また、前述したように、出射用導光板ｌｌと混色用導光板１３との共通位置にある各側端面（図２の上下端面）には、当該混色用導光板１３側の一方と他方の混色用導光板１５，１６の各側端面１５Ｂ，１６Ｂから出射される混色光を前記出射用導光板ｌｌ側の同一位置にある各側端面に送り込む一方のリフレクタとしての上側リフレクタ１９と、他方のリフレクタとしての下側リフレクタ２０とが、それぞれ各別に設けられている。これらのリフレクタ１９，２０は、前記ガイド用リフレクタ２３，２４と同様に、光損失の極力少ない材料が使用されている。
【００４２】
ここで、上述した一方と他方の各混色用導光板１５，１６は、発光素子である各列の複数のＬＥＤ１７，１８からの光を伝播するだけでよいので、その表面には散乱・拡散パターンは基本的には不要となっている。
また、各混色用導光板１５，１６から出射した光は、上述したように、上側リフレクタ１９および下側リフレクタ２０で反射されるとともに、その進行方向を略１８０。変換され、前述したようにそれぞれ出射用導光板ｌｌへと導かれるようになっている。
【００４３】
更に、前述したように、放熱用空間領域２２内には、一方と他方の各混色用導光板１５，１６の各側端面１５Ａ，１６Ｂに沿って且つ近接して、一方の列の複数個のＬＥＤｌ７，及び他方の列の複数個のＬＥＤｌ８が、それぞれ配置されている。
上記ＬＥＤｌ７，１８としては、レンズ付き表面実装型（例えば、Ｌｕｍｉｌｅｄｓ製Ｌｕｘｅｏｎ  Ｅｍｉｔｔｅｒ，Ｌａｍｂｅｒｔｉａｎ）が使用され、それぞれＲＧＢの単色を発光する複数のＬＥＤの集合体とし、図ｌに示すように横方向に適当な配列でそれぞれ配置され、全体として図ｌでは水平方向に所定間隔を隔てて二列に配列されている。
【００４４】
これら各列のＬＥＤｌ７，１８には、前述したようにガイド用リフレクタ２３，２４が装備され、これらのガイド用リフレクタ２３，２４は、ＬＥＤｌ７，１８の出力光を、対応する前記一方と他方の各混色用導光板１５，１６の前記各側端面１５Ａ，１６Ａに向けてそれぞれ有効に案内できるようになっている。
【００４５】
前記二列に配設された各ＬＥＤｌ７，１８は、実際には図２に示すように基板２５を介して平板状の保持プレート２１に取り付けられている。そして、この保持プレート２１は、前述したように、同一面上に配置された一方と他方の各混色用導光板１５，１６に対向し、かつ所定寸法の間隔Ｃを隔てて配置されている。そして、この間隔Ｃにより設定される空間が、前述したように通気用の間隙２２Ａ，２２Ｂを構成している。
【００４６】
保持プレート２１は、本第ｌ実施形態にあっては、上側リフレクタ１９および下側リフレクタ２０間にわたる幅寸法と、ガイド用リフレクタ２３，２４の長さ寸法とに略等しい大きさに形成されている。また、保持プレート２１は、熱伝導率が高く、比重の小さい材料、例えばアルミ等の金属製のものを使用することが望ましく、その板厚は３〔ｍｍ〕以上とすることが望ましい。或いは、この場合の板厚については、ＬＥＤｌ７，１８の駆動電流、発熱量、ジャンクション温度等により、３〔ｍｍ〕以下とする等、適宜変更してもよい。
【００４７】
前述したように、一方と他方の各混色用導光板１５，１６の対向する側端面１５Ａ，１６Ａ間には前記放熱用空間領域２２が形成されている。そして、この放熱用空間領域２２は、二列に配設されたＬＥＤ１７，１８用の放熱空間としても機能し、その結果、当該放熱用空間領域２２内の空気は図２に示すように連通する通気用の間隙２２Ａ，２２Ｂの上下端部が開放されているので、通気性は充分であり、従って、保持プレート２１が有効に冷却され、ＬＥＤ１７，１８により発生する熱を有効に放散することができる。
【００４８】
ここで、一方と他方の各の混色用導光板１５，１６と保持プレート２１との間、つまり前記通気用の間隙２２Ａ，２２Ｂ、保持プレート２１の裏面側、又は放熱用空間領域２２は、大気にさらす構成として、他の部品等を装備する場合でも、保持プレート２１に密着したり、限りなく近接することは極力避けるようにすることが好ましい。
これにより、保持プレート２１に伝達された熱は、放熱手段としても機能する当該保持プレート２１によって、大気中に有効に放散されることになる。
【００４９】
このように、本第１実施形態における液晶表示用バックライト１０では、前記放熱用空間領域２２内に、二列のＬＥＤ１７，１８が配置され、これらのＬＥＤ１７，１８は上側リフレクタ１９および下側リフレクタ２０とほぼ平行に配置されている。このことからも明らかのように、放熱用空間領域２２は、前記両リフレクタ１９，２０に対して平行状態に設定されている。
【００５０】
以上のような構成の液晶表示用バックライト１０にあって、照射光出力側の前方には、予め液晶表示パネル５が設けられており、この液晶表示用バックライト１０と液晶表示パネル５とを組み合わせることで、本発明にかかる第ｌ実施形態の液晶表示装置ｌが構成されることとなる。
【００５１】
次に、本第ｌ実施形態における上記液晶表示用バックライト１０の全体的な作用を説明する。
図２に示すように、それぞれのＬＥＤｌ７，１８に通電されて発光した光は、ガイド用リフレクタ２３，２４で反射して、それぞれ一方の混色用導光板１５および他方の混色用導光板１６に導かれ、これらの混色用導光板１５，１６を通過した光は、リフレクタ１９，２０で１８０度方向を変えられ、出射用導光板ｌｌに導かれ、そこで均一な面発光となって、前述した光学シート２７から液晶表示パネル３０に向かって照射される。
【００５２】
そして、この場合、ＬＥＤｌ７，１８への通電と共に当該ＬＥＤｌ７，１８には熱が発生する。その熱は、ＬＥＤｌ７，１８から基板２５を通って保持プレート２１に伝達される。
一方、保持プレート２１の裏面側と、保持プレート２１の表面側と、前述した通気用の間隙２２Ａ，２２Ｂ、及び放熱用空間領域２２には、空気の流れが生じているので、保持プレート２１が熱交換により放熱され、冷却される。その結果、保持プレート２１の全面が冷却されるので、例えばヒートシンクを取り付けなくてよく、これにより、簡単な構成で放熱効果の向上を図ることができ、同時に熱放散機能を備えた保持プレート２１を装備したので、液晶表示用バックライト１０の全体の薄型化および軽量化を図ることができる。
【００５３】
〔混色用導光板１５，１６の導光路の長さとＬＥＤの配列ピッチ等との関係〕
この第１の実施形態において、図２（Ａ）に開示した放熱用空間領域２２は、各混色用導光板１５，１６を分けて成る切除部によって形成された空間領域であり、出射用導光板１１と、混色用導光板１５，１６の各側端面（相互に対向する面）１５Ａ，１６Ａと、所定寸法の間隔Ｃをおいて配置された保持プレート２１とによって、構成されている。
そして、この放熱空間２２を極力広くすることができれば、ＬＥＤから生ずる熱を効率よく放散させることができる。
【００５４】
この場合、この放熱用空間領域２２に連通する前述した通気用層状間隔２２Ｂは、使用するＬＥＤによりほぼ規定されてしまい、設計の自由度は少ないが、放熱用空間領域２２は、混色用導光板１５，１６の大きさを最適にして且つ必要最低限の寸法とすることで、極大化を図ることができる。
【００５５】
以下、このことを、混色用導光板１５を例とし、その寸法とＬＥＤの配列ピッチＰとの関係等について、図を用いて説明する。
まず、図２（Ｂ）において、混色用導光板１５のガイド用リフレクタ２３側の側端面１５Ａと、混色用導光板１５の前記リフレクタ上側１９側の側端面１５Ｂとの間の距離をＤ、ＬＥＤ１７の配列ピッチをＰ、ＬＥＤ１７の配光角度（半値角）をθとする。
【００５６】
ここで、ＬＥＤの配光角度（半値角）とは、ＬＥＤのピーク光度に対して、５０〔％〕の光度を維持する角度範囲のことであって、液晶表示用バックライトに使用されるＬＥＤの一例として、その角度は１１０度や１２０度である（もちろん、この角度に限定されるものではない）。例えば、ピーク角度０度（ＬＥＤ発光部に対して垂直方向にピーク）、半値角１２０度のＬＥＤから出射した光は、ピーク光度の到達する点Ｌ１に比較して、「θ／２」度、即ち６０度である点Ｌ２には、半分の光しか到達しないことになる。
【００５７】
混色用導光板１５のＤを十分に大きくすることができれば、ＬＥＤの配列ピッチＰに関係なく、十分に混色された光を導き出すことができるが、それでは図２（Ａ）で示した放熱用空間領域２２が十分に確保できなかったり、重量やコストの増大等、不都合なことが多い。そこで、混色導光板のＤを最適に設定する為には、同一の発光色を有するＬＥＤからの光が混ざり合う寸法とすれば良い。
【００５８】
ＬＥＤから発せられる光のＬ１での光度を１、Ｌ２での光度を０．５とすると、隣接する最も近い同一色のＬＥＤから発せられるＬ１に相当する点Ｌ１’が前述したＬ２と、Ｌ２に相当する点Ｌ２’が前述のＬ１と少なくとも一致すれば、略均一な発光色を得ることができる。
これは、使用するＬＥＤの半値角等の特性に関わらず、次の式（ａ）で表すことができる。
Ｄ≧ｎ×Ｐ／tan(θ/2)   ‥‥（ａ）
ここで、ｎは隣接する同一色のＬＥＤまでの個数を表す。
【００５９】
図２（Ｂ）の場合、ＬＥＤのθを１２０度、Ｐを１０〔mm〕として、ＬＥＤ１７ｃと１７ｆが同一色とした場合、ｎは３となる。この結果、式（ａ）より、Ｄは１７．３〔mm〕以上とすれば良いことが分かる。
【００６０】
このように、本第１の実施形態では、出射用導光板ｌｌの背面側に重ね合わせるようにして固一面上に装備した一方と他方の混色用導光板１５，１６の相互間に放熱用空間領域２２を設けると共に、この放熱用空間領域２２内に各ＬＥＤを配置し、同時に、この各ＬＥＤを保持する保持プレート２１を、前記一方と他方の各混色用導光板１５，１６に対向して且つ通気用の間隙２２Ａ，２２Ｂを介して配置したので、この通気用の間隙２２Ａ，２２Ｂ内を流通する空気により、保持プレート２１が熱交換により冷却され、当該保持プレート２１を介して前記ＬＥＤから発生する熱を大気中に放散することができ、このため、簡単な構成で放熱効果の向上を図ることができる。
【００６１】
同時に、本発明では、保持プレート２１を上述したように一方と他方との各混色用導光板１５，１６に沿って配置したので、外部に突出する部分が無いにもかかわらず、各ＬＥＤに発生する熱を有効に外部に放出することができるばかりでなく、新たに保持プレート２１を装備したにもかかわらず当該保持プレート２１に沿って通気用の隙間２２Ａ，２２Ｂを設けたので、保持プレート２１を設けたにも係わらず装置全体の大型化および大幅な重量増を抑制することができ、かかる点において放熱機能を備えたにもかかわらず装置全体の小型化および軽量化を可能とすることができる、という従来にない優れた液晶表示用バックライトおよびこれを利用した液晶表示装置を提供することができる。
【００６２】
以上のように、本第ｌ実施形態によれば、次のような効果を得ることができる。
（ｌ）．複数の各ＬＥＤｌ７，１８が保持プレート２１に保持され、この保持プレート２１が、一方と他方の各混色用導光板１５，１６との間に通気用の間隙２２Ａ，２２Ｂを介して配置されているので、通気用の間隙２２Ａ，２２Ｂ内および放熱用空間領域２２内を流動する空気により、保持プレート２１が冷却され、各ＬＥＤ１７，１８から発生する熱を大気中に放散することができる。その結果、簡単な構成で放熱効果の向上を図ることができるので、新たに冷却用としての機構を設けなくてもよく、装置全体の薄型化及び軽量化を期待することができる。
【００６３】
（２）．各ＬＥＤｌ７，１８部分に、当該各ＬＥＤｌ７，１８の出力光を対応する一方又は他方の混色用導光板１５，１６の内側の端面１５Ａ，１６Ａに向けて案内するガイド用リフレクタ２３，２４が装備されているので、混色用導光板１３が、放熱用空間領域２２を挟んで一方又は他方の混色用導光板１５，１６に二分された構成であっても、各ＬＥＤｌ７，１８の出力光を確実に案内できるので、各ＬＥＤｌ７，１８の出力光を効率よく利用できる。
【００６４】
（３）．放熱用空間領域２２と、通気用の間隙２２Ａ，２２Ｂとにより、ＬＥＤｌ７，１８用の放熱機構が構成されているので、この放熱機構は広がりのある空間とすることができ、これにより、簡単な構成で放熱効果のより一層の向上を図ることができる。
【００６５】
（４）．放熱用空間領域２２が、上側リフレクタ１９および下側リフレクタ２０に対して横方向に平行状態で設定されているので、放熱用空間領域２２を形成するに際し、リフレクタ１９，２０に対して平行になるように加工すればよいので、放熱用空間領域２２の形成が容易である。
【００６６】
（５）．保持プレート２１が、熱伝導率に優れ、かつ比重が小さな、例えばアルミ等の金属製部材により構成されているので、より放熱効果の向上と、装置の軽量化とを図ることができる。
【００６７】
（６）．出射用導光板ｌｌと、一方と他方の各混色用導光板１５，１６との間に光隔離プレート１２が設けられているので、出射用導光板ｌｌと各混色用導光板１５，１６とを通過する光の洩れを排除し各混色用導光板１５，１６から出射用導光板ｌｌに向けてＬＥＤからの出力光を効率良く伝搬させることができる。
【００６８】
（７）．本発明の液晶表示装置ｌによれば、放熱効果に優れ、かつ薄型、軽量の液晶表示用バックライト１０と、予め準備された液晶表示パネル５とを組み合わせたので、簡単な構成で放熱効果の向上を図ることができると共に、薄型化および軽量化を図ることができる。
【００６９】
〔第２の実施形態〕
次に、本発明の第２実施形態を、図３乃至図４に基づいて説明する。
ここで、前述した第１実施形態と同一の構成部材については同一の符号を用いるものとする。
この第２実施形態において、液晶表示用バックライト１０Ａは、放熱用空間領域３２を、互いに平行に、かつ上下方向に延在して配置された右側リフレクタ２９と左側リフレクタ３０に対して垂直方向に平行状態で設定したものである。
【００７０】
具体的には、この第２実施形態では、矩形状の出射用導光板３１に対して、右側リフレクタ２９と左側リフレクタ３０とをそれぞれ出射用導光板３１の短辺部分に配置すると共に、この各リフレクタ２９，３０に対応して同一形状で同一大きさの一方と他方の各混色用導光板３５，３６を配置し、この各混色用導光板３５，３６と同一面上で且つ当該各混色用導光板３５，３６の内側端面の相互間に放熱用空間領域３２を、前記各リフレクタ２９，３０に平行に設けた点に特徴を有する。
【００７１】
即ち、前記第１実施形態の液晶表示用バックライト１０が、二列に配列された複数のＬＥＤｌ７，１８が矩形型の出射用導光板３１に対して長辺に沿って平行に延びる形態の直線状の列を構成して配置されていたのに対し、本第２実施形態の液晶表示用バックライト１０Ａでは、二列に配列されたＬＥＤｌ７，１８が矩形型の出射用導光板３１に対して短辺に沿って平行に延びる形態の直線状の列を構成して配置されている点が基本的に異なる点である。その他の構成は前述した第ｌ実施形態と同一となっている。
【００７２】
この第２実施形態における液晶表示用バックライト１０Ａでは、図３乃至図４に示すように、複数価のＬＥＤ１７，１８は、保持プレート２１の表面に基板２５を介して実装され、それぞれＬＥＤｌ７，１８には、ガイド用リフレクタ４３，４４がそれぞれ併設されている。これらのリフレクタ４３，４４は、前記第１実施形態のガイド用リフレクタ２３，２４と全長が異なり、構成、作用は同じである。
【００７３】
ガイド用リフレクタ４３，４４には、図３内では左右方向に対して上下方向に延び、かつ一方と他方の各混色用導光板３５，３６が、それぞれＬＥＤｌ７，１８に対して左右方向の外側に配置されている。そして、各混色用導光板３５，３６の相互間で当該各混色用導光板３５，３６と同一面上に、放熱用空間領域３２が形成されている。
【００７４】
前述したＬＥＤｌ７，１８から出力される光は、ガイド用リフレクタ４３，４４に集光されて一方および他方の混色用導光板３５，３６の対向する側端面３５Ａ，３６Ａから各混色用導光板３５，３６内に入射伝搬され、その内部を通過して側端面３５Ａ，３６Ａとは反対側の端面３５Ｂ，３６Ｂから前記右側リフレクタ２９、左側リフレクタ３０を介して、出射用導光板３１に送り込まれるようになっている。
【００７５】
ここで、一方および他方の各混色用導光板３５，３６は前記第ｌ実施形態の一方および他方の各混色用導光板１５，１６に相当し、放熱用空間領域３２は同じく放熱用空間領域２２に相当する。又、両リフレクタ２９，３０は、前記第ｌ実施形態のリフレクタ１９，２０に相当するものであり、出射用導光板３１は、前記出射用導光板ｌｌに相当するものである。
【００７６】
前記保持プレート２１と一方および他方の混色用導光板３５，３６との間には、前記通気用の間隙２２Ａ，２２Ｂに相当する通気用層状間隙３２Ａ，３２Ｂが形成され、この通気用の間隙３２Ａ，３２Ｂと前記放熱用空間領域３２とによって空冷機構が構成され、各ＬＥＤ１７，１８での発熱は放熱手段として機能する保持プレート２１から、当該保持プレート２１に沿って間隙３２Ａ，３２Ｂ内を流動する通気に対して、円滑に熱交換され放熱されるようになっている。
その他の構成およびその作用効果は前述した第ｌの実施形態と同一となっている。
【００７７】
そして、上述したような構成の液晶表示用バックライト１０Ａの照射側前方には、図４に示すように、予め準備されている液晶表示パネル５が配置され、これらのバックライト１０Ａと液晶表示パネル５とを組み合わせることで、本第２実施形態では、液晶表示装置１Ａが構成されている。
【００７８】
この第２の実施形態は以上のように構成され機能するので、これによると、前述した第１の実施形態の場合とほぼ岡等の作用効果を奏するほか、更に、下記に示すような効果を得ることができる。
（８）．ＬＥＤ１７，１８が図３の左右方向に対して上下方向に配列され、放熱用空間領域３２が、図中、上下方向に延びた右側リフレクタ２９および左側リフレクタ３０と平行状態に設定されているので、空気の自然対流の上昇方向に障害物がなく、これにより、複数個のＬＥＤ１７，１８から生じる熱を、空気の自然対流により、より効率よく放散することができる。
【００７９】
〔第３の実施形態〕
次に、本発明の第３実施形態を、図５に基づいて説明する。
ここで、前述した第２の実施形態と同一の構成部材については同一の符号を用いるものとする。
この第３実施形態の液晶表示用バックライト１０Ｖは、前述した第２実施形態において、ＬＥＤ１７，１８と、ガイド用リフレクタ４３，４４と、保持プレート２１と、光隔離板１２とで囲まれた放熱用空間領域３２Ａの形状を、図５中における下側よりも上側の方が広がった形状、即ち、逆台形状としたものである。
【００８０】
つまり、放熱用空間領域３２Ａにあっては、当該放熱用空間領域３２Ａを構成する一方と他方の各混色用導光板の内側端面（側端面）３５Ａ，３６Ａが、前述した右側リフレクタ２９および左側リフレクタ３０の延在方向に対して、非平行状態になるように設定されている。その他の構成は、前述した第２実施形態と同一となっている。
このような構成の第３実施形態によれば、前述した第２実施形態と同一の作用効果を有するほか、更に、次に示すような効果を得ることができる。
【００８１】
（９）ＬＥＤ１７，１８が垂直方向から所定角度傾いて配列され、放熱用空間領域３２Ａが、右側リフレクタ２９および左側リフレクタ３０と非平行状態に、下側に対して上側の空間が広くなる様に設定されているので、空気の自然対流の上昇方向に障害物が無いだけでなく、複数個のＬＥＤ１７，１８から生じ、上昇してくる熱を広い空間で受けることになるため、より効率良く放散することができる。
【００８２】
〔第４の実施形態〕
次に、本発明の第４実施形態を、図６に基づいて説明する。
ここで、前述した第ｌ実施形態と同一の構成部材については同一の符号を用いるものとする。
この第４実施形態において、液晶表示用バックライト１０Ｂは、放熱用空間領域２２を、前記上側リフレクタ１９および下側リフレクタ２０に対して、所定角度α°傾斜して設定した点に特徴を有する。
【００８３】
即ち、本第４実施形態の液晶表示用バックライト１０Ｂでは、二列に配列された各複数のＬＥＤｌ７，１８の列が、上記両リフレクタ１９，２０に対して所定角度α°傾斜した状態となっており、これらのＬＥＤｌ７，１８の配設位置を含む放熱用空間領域２２が前記出射用導光板ｌｌの背面側に、同じく所定角度α°傾斜した状態で形成されている。符号１５Ａ，１６Ａは、放熱用空間領域２２を所定角度α°傾斜した状態に設定する一方と他方の混色用導光板を示す。
【００８４】
この一方と他方の混色用導光板１５Ａ，１６Ａと前述した出射用導光板ｌｌとの断面内における位置関係は、前述した図２の第ｌ実施形態の場合と同等である。その他の構成は、前述した第１実施形態の場合と同一となっている。
【００８５】
又、上述したような構成の液晶表示用バックライト１０Ｂの照射側前方には、図５に示すように、予め準備されている液晶表示パネル５が配置されている。そして、これらの液晶表示用バックライト１０Ｂと液晶表示パネル５とを組み合わせることで、本発明の第４実施形態におけるの液晶表示装置ｌＢが構成されている。
【００８６】
ここで、第４実施形態における放熱用空間領域２２、ガイド用リフレクタ２３，２４は、第１実施形態における放熱用空間領域２２、ガイド用リフレクタ２３，２４と厳密には長さが異なるが、機能的に何ら変わらない等の理由で、同一符号を付して説明してある。その他の構成及びその作用効果は前述した第ｌ実施形態の場合と同等である。
【００８７】
本第４の実施形態は上述したように構成され機能するので、これによると、前述した第１の実施形態と固等の機能を有するほか、更に、下記に示すような効果を得ることができる。
（１０）．空間領域２２をリフレクタ１９，２０に対して平行にした場合と比較して、空間領域２２の全長を長くすることができるので、その結果、二列に配置する各ＬＥＤ１７，１８を多く配置することができ、明るさを増大させることができる。
【００８８】
〔第５の実施形態〕
次に、本発明の第５実施形態を図７に基づいて説明する。
ここで、前述した第４実施形態と同一の構成部材については同一の符号を用いるものとする。
【００８９】
本第５実施形態における液晶表示用バックライト１０Ｄは、前記第４実施形態のバックライトにおいて、放熱用空間領域２２の形状を、前述した出射用導光板１１に平行な面内において図７に示すように上方が大きく開放されたＶ字状に屈曲した形態に設定した点に特徴を有する。つまり、ＬＥＤ１７，１８と、上側リフレクタ１９及び下側リフレクタ２０と、混色用導光板１７，１８の側端面（内側の端面）とが、それぞれ下側に曲折点Ｗを有する屈曲した形態とした点に特徴を有する。
【００９０】
この場合、本第５実施形態では、屈曲した放熱用空間領域２２の左右に延設された両端部分が、図７に示すように屈曲点Ｗよりも上になるように配置されている。その他の構成は前述した第４実施形態と同一となっている。
このような構成の第５実施形態によれば、前記第４実施形態の同一の作用効果を有するほか、更に、次に示すような効果を得ることができる。
（１１）．放熱用空間領域２２が上述したように屈曲していることで、ＬＥＤ１７，１８の数を減らすことなく、屈曲点Ｗを境に各々の領域で熱を効率よく放散させることができる。
【００９１】
〔第６の実施形態〕
次に、本発明の第６実施形態を、図８乃至図９に基づいて説明する。
ここで、前述した第２実施形態（図３乃至図４）と同一の構成部材については同一の符号を用いるものとする。
【００９２】
この第６実施形態において、液晶表示用バックライト１０Ｃは、前述した第２実施形態における液晶表示用バックライト１０Ａ（図３参照）が備えている放熱用空間領域３２内に放熱補助手段としてのヒートシンク６５を配設すると共に、このヒートシンク６５を前述した保持プレート２１に固着装備した点に特徴を有する。
【００９３】
このヒートシンク６５は、図８及び図９に示すように、バックライト１０Ｃの図８における上下方向（幅方向）の略全長にわたって設置され、図９に示すように前記保持プレート２１の表面に固着されている。
ヒートシンク６５は、本実施形態では、上下方向に連続する台部６５Ａ上に図８中の上下方向に連続する複数枚のフィン６５Ｂを設けた形状のものが使用されている。そして、このヒートシンク６５は、熱伝導率に優れ且つ比重の小さなアルミニウム等で形成されている。このため、ＬＥＤｌ７，１８から保持プレート２１に伝わった熱は、そこからヒートシンク６５に伝わることで、各ＬＥＤｌ７，１８で生じた発熱がヒートシンク６５を介して外部に有効に放散されることになる。
その他の構成及びその作用効果は前述した第２実施形態（図３乃至図４参照）の場合と同一となっている。
【００９４】
又、このような構成の液晶表示用バックライト１０Ｃの光照射側の前方には、図９に示すように、予め準備されている液晶表示パネル５が配置されている。そして、これらの液晶表示用バックライト１０Ｃと液晶表示パネル５とを組み合わせることで、本発明の第６実施形態における液晶表示装置ｌＣが構成されている。
【００９５】
本第６実施形態は上述したように構成され機能するので、これによると、前述した第２実施形態と同等の作用効果を有するほか、更に、下記に示すような効果を得ることができる。
（１２）．放熱用空間領域３２内に、ヒートシンク６５を上述したように装備したので、保持プレート２１を、放熱用空間領域３２内を流動する空気により冷却することで放熱効果の向上を図ることができるほか、ヒートシンク６５の放熱による放熱効果も得ることができ、より一層の放熱効果の向上を図ることができる。
また、ヒートシンク６５が、保持プレート２１のＬＥＤｌ７，１８等が配置された面とは同一の内面側に配置される構成としたので、装置の薄型化を阻害することもない。
【００９６】
〔第７の実施形態〕
次に、本発明の第７実施形態を、図１０に基づいて説明する。
ここで、前述した第２実施形態（図３乃至図４参照）と同一の構成部材については同一の符号を用いるものとする。
【００９７】
この第７実施形態において、液晶表示用バックライト１０Ｄは、前述した第２実施形態における液晶表示用バックライト１０Ａが備えている放熱用空間領域３２内に放熱補助手段としての冷却ファン７５を配設すると共に当該冷却ファン７５をその底面部で前述した保持プレート２１に固着し、更にその全体が放熱用空間領域３２内に納まるように配置した点に特徴を有する。
【００９８】
そのため、複数のＬＥＤｌ７，１８から保持プレート２１に伝わった熱は、冷却ファン７５の送風によりより有効に熱交換され且つ内部の加熱された空気とともに通気用の間隙３２Ａ，３２Ｂを介して外部の大気中に効率良く放散される。その他の構成及びその作用効果は前述した第２の実施形態と同一となっている。
【００９９】
又、上述した構成の液晶表示用バックライト１０Ｄの照射側前方には、図１０に示すように、予め準備されている液晶表示パネル５が配置され、これらのバックライト１０Ｄと液晶表示パネル５とを組み合わせることで、本第７実施形態における液晶表示装置ｌＤが構成されている。
【０１００】
本第７実施形態は上述したように構成され機能するので、これによると、前述した第２実施形態と同等の作用効果を有するほか、更に、下記に示すような効果を得ることができる。
（１３）．保持プレート２１を、放熱用空間領域３２内に装備した冷却ファン７５により、放熱用空間領域３２内の加熱空気を強制的に外部へ放出するばかりでなく、保持プレート２１が上記強制的に空冷の対象として熱交換されるので、従来に増してより一層の放熱効果の向上を図ることができる。
【０１０１】
尚、本発明は前述した各実施形態に開示した内容に限定されるものではなく、本発明の目的を達成できる範囲での変形、改良等は本発明に含まれるものである。
例えば、前記第２実施形態の液晶表示用バックライト１０Ａの放熱用空間領域２２内にヒートシンク６５を装備した構造を前記第４実施形態とし、また、第２実施形態の液晶表示用バックライト１０Ａの放熱用空間領域２２内に冷却ファン７５を装備した構造を前記第７実施形態としたが、ヒートシンク６５及び冷却ファン７５の装備については、第２実施形態の液晶表示用バックライト１０Ａに必ずしも限定するものいではない。
【０１０２】
また、ヒートシンク６５を、第ｌ実施形態の液晶表示用バックライト１０の放熱用空間領域２２内、或いは第４実施形態の液晶表示用バックライトｌ０Ｂの放熱用空間領域２２内に装備してもよい。
更に、冷却ファン７５を、第ｌ実施形態の液晶表示用バックライト１０の放熱用空間領域２２内、或いは第４実施形態の液晶表示用バックライト１０Ｂの放熱用空間領域２２内に装備してもよい。
【０１０３】
また、前記各実施形態における保持プレート２１の一方の面あるいは他方の面の少なくとも何れかの面に多数の凹凸８０を設けてもよい。
即ち、図１１（Ａ）に示すように、上述した各実施形態において、保持プレート２１の一方の面としての表面に、断面鋸刃状の凹凸８０を形成してもよく、また図１１（Ｂ）に示すように、ｌ保持プレート２１の表面に、断面波形状の凹凸８０を形成してもよい。
このようにすれば、保持プレート２１の表面積（放熱面積）を大きくすることができ、かかる点において放熱効果の向上を図ることができる。
【０１０４】
尚、多数の凹凸、例えば、図１１（Ａ）（Ｂ）に示すような凹凸８０を、保持プレート２ｌの他方の面としての裏面に設けてもよく、あるいは表裏両面に設けてもよい。また、凹凸形状は、図１１（Ａ）（Ｂ）に示す形状でなくてもよく、例えば断面かまぼこ形状の突起状部を多数並列させる形状等、どのような形状でもよく、要は、保持プレート２１の表面積を大きくし、放熱効果を大きくすることができればよい。
【０１０５】
更に、前述した第４実施形態では、二列の直線状のＬＥＤｌ７，１８を右上から左斜め下に向かう傾斜状に配置したが、この傾斜は、もちろん逆方向であってもよい。即ち、左上から右斜め下に向かう傾斜状に配置してもよい。
【産業上の利用可能性】
【０１０６】
本発明の活用例として、テレピやモニター等に用いる液晶表示装置、看板、広告媒体等に用いられるバックライト（背面照明装置）が挙げられる。
【図面の簡単な説明】
【０１０７】
【図１】本発明にかかる液晶表示用バックライト及び液晶表示装置の第１実施形態を示す概略正面図である。
【図２（Ａ）】図ｌにおける部分的な説明図で、図１のＩＩ−ＩＩ線に沿った縦断面図である。
【図２（Ｂ）】図ｌにおける部分的な説明図で、混色用導光板とＬＥＤ配列ピッチの位置関係を示す模式図である。
【図３】本発明の液晶表示用バックライト及び液晶表示装置の第２実施形態を示す概略正面図である。
【図４】図３におけるＩＶ−ＩＶ線に沿った縦断面図である。
【図５】本発明の液晶表示用バックライト及び液晶表示装置の第３  実施形態を示す全体正面図である。
【図６】本発明の液晶表示用バックライト及び液晶表示装置の第４実施形態を示す概賂正面図である。
【図７】本発明の液晶表示用バックライト及び液晶表示装置の第５実施形態を示す全体正面図である。
【図８】本発明の液晶表示用バックライト及び液晶表示装置の第６実施形態を示す概略正面図である。
【図９】図８におけるＶＩＩ−ＶＩＩ線に沿った縦断面図である。
【図１０】本発明の液晶表示用バックライト及び液晶表示装置の第７実施形態を示す断面図である。
【図１１】保持プレートの凹凸部を示す図で、図１１（Ａ）は鋸歯伏の凹凸部を示す説明図、図１１（Ｂ）はサインカーブ状の凹凸部を示す説明図である。
【図１２】関連技術における液晶バックライトを用いた照明装置を示す縦断面図である。
【符号の説明】
【０１０８】
１，１Ａ乃至ｌＤ  液晶表示装置
５  液晶表示パネル
１０，１０Ａ乃至１０Ｄ  液晶表示用バックライト
１１  出射用導光板
１２  スペーサ部材（遮光板）
１３  混色用導光板
１５，３５  一方の混色用導光板
１５Ａ，１６Ａ，３５Ａ，３６Ａ  側端面
１５Ｂ，１６Ｂ，３５Ｂ，３６Ｂ  反対側端面
１６，３６  他方の混色用導光板
１７，１８  発光素子（ＬＥＤ）
１９  上側リフレクタ（リフレクタ）
２０  下側リフレクタ（リフレクタ）
２２，３２  放熱用空間領域
２２Ａ，２２Ｂ，３２Ａ，３２Ｂ  通気用の間隙
２３，２４  ガイド用リフレクタ（光反射ガイド）
２９  右側リフレクタ（リフレクタ）
３０  左側リフレクタ（リフレクタ）
６５  ヒートシンク
７５  冷却ファン
８０  凹凸
【図１】
0005125942.tif 000002
【図２（Ａ）】
0005125942.tif 000003
【図２（Ｂ）】
0005125942.tif 000004
【図３】
0005125942.tif 000005
【図４】
0005125942.tif 000006
【図５】
0005125942.tif 000007
【図６】
0005125942.tif 000008
【図７】
0005125942.tif 000009
【図８】
0005125942.tif 000010
【図９】
0005125942.tif 000011
【図１０】
0005125942.tif 000012
【図１１】
0005125942.tif 000013
【図１２】
0005125942.tif 000014